(57)【特許請求の範囲】
【請求項１】
複数のこんろ部にそれぞれ点火・消火を手動操作で行うための点火・消火操作部を設けると共に、複数のこんろ部のうちの一のこんろ部で自動調理を行うための調理設定部を一つ設けたガスこんろであって、所定の操作からなる選択モード移行操作を行うことで自動調理を行う一のこんろ部を選択して設定する選択モードに移行し、選択モード中に所定の操作からなる仮選択切替を行うことで一のこんろ部を選択して仮選択を行い、その後、所定の操作からなる選択決定を行うことで仮選択されている一のこんろ部を自動調理を行う一のこんろ部に設定し、設定した後は前記選択した一のこんろ部でのみ自動調理を行うことを可能として成ることを特徴とするガスこんろ。
【請求項２】
自動調理を行うことができる複数の調理メニューを有し、各調理メニュー毎に、自動調理を行う一のこんろ部の選択を可能として成ることを特徴とする請求項１記載のガスこんろ。
【請求項３】
自動調理を行うことができる複数の調理メニューを有すると共に、調理設定部に前記各調理メニュー毎の操作部がそれぞれ設けてあり、前記複数の操作部の同時押し又は少なくとも一の操作部を所定時間押す長押しを、選択モードへ移行する所定の操作とし、所定の時間の経過あるいは所定の操作によって選択モードを終了することを特徴とする請求項１又は２記載のガスこんろ。
【請求項４】
各調理メニューのそれぞれに対応する表示部を設けると共に、複数のこんろ部のそれぞれに対応する表示部を設け、調理メニューに対応する表示部と該調理メニューについて選択したこんろ部に対応する表示部とを各調理メニュー毎に同期して点滅させることを特徴とする請求項２記載のガスこんろ。
【請求項５】
自動調理を行い得るこんろ部の選択範囲を二つとし、選択モード中に、調理設定部の操作部を所定時間継続して押す長押しを行うことで一方のこんろ部を選択し、前記長押しよりも短い時間押す通常押しを行うことで他方のこんろ部を選択することを特徴とする請求項１又は２記載のガスこんろ。
【請求項６】
調理設定部に表示部を設けると共に、自動調理を行い得るこんろ部の選択範囲を二つとし、選択モード中に、選択されているこんろ部がいずれかを前記表示部の点灯又は点滅により表示することを特徴とする請求項１又は２記載のガスこんろ。
【請求項７】
こんろ部を点火中に選択モードに移行不能として成ることを特徴とする請求項１又は２記載のガスこんろ。
【請求項８】
自動調理が可能な複数のこんろ部の火力を略同等として成ることを特徴とする請求項１乃至請求項７のいずれか一項に記載のガスこんろ。
【発明の詳細な説明】
【技術分野】
【０００１】
本発明は、ガスこんろに関するものである。
【背景技術】
【０００２】
従来から、自動調理の機能を有するこんろ部を備えたガスこんろが知られている（例えば、特許文献１参照）。
【０００３】
通常、ガスこんろは複数のこんろ部を備えており、このうちの一つのこんろ部について揚げもの、炊飯、湯わかし等の自動調理が可能となっている。
【０００４】
ところで、こんろ部の一つを自動調理可能とする場合、調理入力部及び調理表示部からなる調理設定部をこんろ本体に設ける必要があるが、複数のこんろ部で自動調理が可能となっている場合、各こんろ部に対応する調理設定部をそれぞれ設けようとすると、こんろ本体に調理設定部の配設スペースをそれぞれ確保する必要があって大型化してしまうと共にコストの増大化を招いてしまうという問題があった。
【０００５】
このため、こんろ部の一つを自動調理可能として、残りのこんろ部を自動調理不可とすることで、上記問題を解決することが考えられるが、この場合、複数のこんろ部から自動調理するこんろ部を適宜選択して自動調理を行うことができず、また、自動調理が可能なこんろ部の位置を異ならせた複数種類のガスこんろを製造する必要が生じて、設計及び製造の手間がかかってしまう。
【０００６】
そこで、特許文献１等に示されるもののように、調理設定部又はその表示部を複数のこんろ部で共有して適宜切り替えるようにすることで、上記問題を解決するものが開発されている。
【特許文献１】特開２００５−２０７６６７号公報
【発明の開示】
【発明が解決しようとする課題】
【０００７】
しかしながら、このものにあっては、ガスこんろを使用する毎に、自動調理を行うこんろ部を選択する必要があり、ガスこんろを使用する際の操作が煩雑となってしまうものであった。
【０００８】
また、ガスこんろを使用する毎に、複数のこんろ部のうちから自動調理を行うこんろ部を選択しているため、使用毎に異なるこんろ部が選択され得るものであり、同時に複数のこんろ部が燃焼状態である場合に、いずれのこんろ部で自動調理を行っているかが分からなくなったり誤認してしまう惧れがある、という問題があった。
【０００９】
本発明は上記従来の問題点に鑑みて発明したものであって、その目的とするところは、ガスこんろに調理設定部を一つ設けるだけで済んでこんろ本体の小型化及び簡素化が図られ、しかも自動調理を行うこんろ部を複数のうちから選択することで複数種類のガスこんろを製造する必要がなくて設計及び製造ラインの簡素化が図られるものにおいて、使用毎に自動調理を行うこんろ部を選択することによる操作の煩雑さや誤認の惧れを低減させることができるガスこんろを提供することを課題とするものである。
【課題を解決するための手段】
【００１０】
上記課題を解決するために請求項１に係る発明は、複数のこんろ部にそれぞれ点火・消火を手動操作で行うための点火・消火操作部を設けると共に、複数のこんろ部のうちの一のこんろ部で自動調理を行うための調理設定部を一つ設けたガスこんろであって、所定の操作からなる選択モード移行操作を行うことで自動調理を行う一のこんろ部を選択して設定する選択モードに移行し、選択モード中に所定の操作からなる仮選択切替を行うことで一のこんろ部を選択して仮選択を行い、その後、所定の操作からなる選択決定を行うことで仮選択されている一のこんろ部を自動調理を行う一のこんろ部に設定し、設定した後は前記選択した一のこんろ部でのみ自動調理を行うことを可能として成ることを特徴とするものである。
【００１１】
このような構成とすることで、一度選択モードにて自動調理を行うこんろ部を選択すると、以後は、使用する毎にこんろ部を選択する必要がなく、毎回の使用時の操作性が良いものである。また、使用する毎に選択するこんろ部が異なることもないため、自動調理を行うこんろ部を誤認する惧れもないものである。
【００１２】
また、請求項２に係る発明にあっては、請求項１に係る発明において、自動調理を行うことができる複数の調理メニューを有し、各調理メニュー毎に、自動調理を行う一のこんろ部の選択を可能として成ることを特徴とするものである。
【００１３】
このような構成とすることで、調理メニュー毎に、自動調理を行うこんろ部を選択することができ、使い勝手が向上する。
【００１４】
また、請求項３に係る発明にあっては、請求項１又は２に係る発明において、自動調理を行うことができる複数の調理メニューを有すると共に、調理設定部に前記各調理メニュー毎の操作部がそれぞれ設けてあり、前記複数の操作部の同時押し又は少なくとも一の操作部を所定時間押す長押しを、選択モードへ移行する所定の操作とし、所定の時間の経過あるいは所定の操作によって選択モードを終了することを特徴とするものである。
【００１５】
このような構成とすることで、選択モードへ移行するための特別な操作部を設ける必要がなく、操作部を削減することができる。
【００１６】
また、請求項４に係る発明にあっては、請求項２に係る発明において、各調理メニューのそれぞれに対応する表示部を設けると共に、複数のこんろ部のそれぞれに対応する表示部を設け、調理メニューに対応する表示部と該調理メニューについて選択したこんろ部に対応する表示部とを各調理メニュー毎に同期して点滅させることを特徴とするものである。
【００１７】
このような構成とすることで、各調理メニューに対応する表示部と、各こんろ部に対応する表示部とを利用して表示を行なうことができて、別に表示部を設けることなく、各調理メニューについて選択されているこんろ部を表示することができる。
【００１８】
また、請求項５に係る発明にあっては、請求項１又は２に係る発明において、自動調理を行い得るこんろ部の選択範囲を二つとし、選択モード中に、調理設定部の操作部を所定時間継続して押す長押しを行うことで一方のこんろ部を選択し、前記長押しよりも短い時間押す通常押しを行うことで他方のこんろ部を選択することを特徴とするものである。
【００１９】
このような構成とすることで、こんろ部を選択するための特別な操作部を設ける必要がなく、操作部を削減することができる。
【００２０】
また、請求項６に係る発明にあっては、請求項１又は２に係る発明において、調理設定部に表示部を設けると共に、自動調理を行い得るこんろ部の選択範囲を二つとし、選択モード中に、選択されているこんろ部がいずれかを前記表示部の点灯又は点滅により表示することを特徴とするものである。
【００２１】
このような構成とすることで、表示部が点灯しているか点滅しているかによって、各調理メニューについて選択されているこんろ部を表示することができ、表示部の数が増えるのを抑えることができる。
【００２２】
また、請求項７に係る発明にあっては、請求項１又は２に係る発明において、こんろ部を点火中に選択モードに移行不能として成ることを特徴とするものである。
【００２３】
このような構成とすることで、選択モードで調理が不可となって、無駄な燃料ガスの消費を抑制することができる。また、調理しながら選択モードに移行し得ないので、調理中に選択モードに移行して調理の方の注意が散漫となって調理ミスをしたりするのが防止される。また、調理中に選択モードで選択するこんろ部を変更することによる誤操作、またはこれによる調理ミスが防止される。
【００２４】
また、請求項８に係る発明にあっては、請求項１乃至７のいずれか一項に係る発明において、自動調理が可能な複数のこんろ部の火力を略同等として成ることを特徴とするものである。
【００２５】
このような構成とすることで、高火力とするこんろ部の位置を異ならせた複数種類のガスこんろを製造する必要がなくて設計及び製造ラインの簡素化が図られる。
【発明の効果】
【００２６】
本発明にあっては、ガスこんろに調理設定部を一つ設けるだけで済んでこんろ本体の小型化及び簡素化が図られ、しかも自動調理を行うこんろ部を複数のうちから選択することで複数種類のガスこんろを製造する必要がなくて設計及び製造ラインの簡素化が図られるものにおいて、使用毎に自動調理を行うこんろ部を選択することによる操作の煩雑さや誤認の惧れを低減させることができる。
【発明を実施するための最良の形態】
【００２７】
以下、本発明の一実施形態について添付図面に基づいて説明する。
【００２８】
本発明のガスこんろＡは、図１に示すように、複数（即ち少なくとも二つ）のこんろ部２を備えたものを対象とするもので、本実施形態では三つのこんろ部２とグリル３とを備えたガスこんろＡについて説明する。なお、グリル３及びその操作部等については詳細な説明を省略する。
【００２９】
ガスこんろＡの主体を構成するこんろ本体１の内部の左右方向の中央部にグリル３が配設してあり、こんろ本体１の前面の左右方向の中央部にグリル３のグリル扉３ａが配置してある。
【００３０】
こんろ本体１の上面にはこんろ部２が複数配設してあり、添付図面に示す実施形態ではこんろ本体１の上面に三つのこんろ部２が配設してあり、三つのこんろ部２は上面の手前側の左側に左こんろ部２ａ、右側に右こんろ部２ｂ、及び上面の後側の左右方向の中央部に後こんろ部２ｃをそれぞれ配設してある。ここで、左右に配設したこんろ部２はなべ底の温度を検知する温度センサ２ｄを有して燃焼制御を行うと共に高火力のこんろ部２となっている。また、後方上面の後側の左右方向の中央部に配設した後こんろ部２ｃは小火力のこんろ部２となっている。
【００３１】
各こんろ部２には、図２に示すように、こんろバーナ２１と、こんろバーナ２１に点火する点火プラグ２２と、こんろバーナ２１の着火を検出する熱電対からなる着火検出装置２３が設けられる。点火プラグ２２は、後述する点火・消火操作部４における点火操作によってマイクロコンピュータからなる制御部（図示せず）により点火動作が行われ、着火検出装置２３において検出された着火（点火）情報は制御部に認識されて、制御部により点火プラグ２２での点火処理を終了する。こんろバーナ２１、点火プラグ２２、着火検出装置２３、制御部はこんろ本体１内に収容される。
【００３２】
各こんろバーナ２１には、都市ガス等の燃料ガスを供給するガス供給路２５からそれぞれ分岐する分岐路２６が接続してある。ガス供給路２５には電磁弁２７が設けてあると共に、各分岐路２６には、燃料ガスの供給量の調節を行うためステッピングモータ等の駆動手段２８により駆動されて弁体の開度位置の微調整が可能な流量制御弁２９と、前記弁体の開度位置を検出する位置センサ（図示せず）が設けてある。電磁弁２７及び流量制御弁２９は、制御部により制御が行われ、位置センサにおける検出情報は制御部によって認識・処理される。また、流量制御弁２９は、対応するこんろバーナ２１が使用されない時には、流量を零にして遮断状態となるように切り換えられる。
【００３３】
こんろ本体１の前面の上部（添付図面に示す実施形態では左側の上部及び右側の上部）にはそれぞれ上記複数のこんろ部２の点火、消火操作を手動で行うための点火・消火操作部４が設けてある。図１に示す実施形態では前面の左側に左こんろ部２ａの点火、消火操作を行うための点火・消火操作部４ａを配設し、前面の右側に右こんろ部２ｂの点火、消火操作を行うための点火・消火操作部４ｂと、後こんろ部２ｃの点火、消火操作を行うための点火・消火操作部４ｃとを配設してあり、点火・消火操作部４ｂは点火・消火操作部４ｃよりも右側に配置してある。つまり、三つのこんろ部２が左側から右側にかけて左こんろ部２ａ、後こんろ部２ｃ、右こんろ部２ｂの順に配置してあるので、この配置に対応して三つの点火・消火操作部４も左側から右側にかけて左こんろ部２ａの点火、消火操作を行うための点火・消火操作部４ａ、後こんろ部２ｃの点火、消火操作を行うための点火・消火操作部４ｃ、右こんろ部２ｂの点火、消火操作を行うための点火・消火操作部４ｂの順に配設してある。
【００３４】
上記各点火・消火操作部４は添付図面においては前後方向に移動自在な押釦により構成してあり、点火・消火操作部４を構成する押釦は前後方向に移動自在で且つ前方に突出した状態で回動自在となっている。消火状態では点火・消火操作部４が後方に押されて押釦よりなる点火・消火操作部４の前面がこんろ本体１の前面と略面一状態となるように後退状態が保持されている。こんろ部２の使用に当たっては、押釦よりなる点火・消火操作部４を押し操作して点火操作をすることで、後退していた点火・消火操作部４が前方に突出して器具栓がＯＮとなり、流出する燃料ガスにスパーク放電がなされてこんろ部２に点火される。この押釦よりなる点火・消火操作部４が前方に突出した状態で点火・消火操作部４を指で摘んで回動操作することでこんろ部２の火力調整ができるようになっている。一方、消火にあたっては、前方に突出している点火・消火操作部４を後方に押し操作することで器具栓がＯＦＦとなってこんろ部２が消火されると共に、点火・消火操作部４の前面がこんろ本体１の前面と略面一状態となるように後退状態で保持される。また、後述する自動調理やタイマ機能や異常検知によって自動消火される場合もあり、この場合には点火・消火操作部４は器具栓をＯＮとする状態であっても安全弁（電磁弁２７または流量制御弁２９が安全弁としての機能を兼ねる）により燃料ガスが遮断されて消火されるものであり、消火という場合には前述したように消火する場合と器具栓がＯＦＦとなって消火する場合の両方を含むものとする。なお、こんろ部２における点火状態及び消火状態は、熱電対やサーミスタ、あるいはフレームセンサ等の点火・消火検知手段（図示せず）によって検知される。
【００３５】
こんろ本体１の前面の下部には操作パネル１１が収納自在に設けてある。添付図面に示す実施形態ではこんろ本体１の前面の左右の下部にそれぞれ操作パネル１１が収納自在に設けてある。
【００３６】
操作パネル１１をこんろ本体１の前面に収納自在とするに当たっては種々の構成が考えられるが、添付図面に示す実施形態ではこんろ本体１に回動自在に取付ける可動部材１１ａの上面に操作パネル１１を設け、可動部材１１ａを一方向に回動することで操作パネル１１がこんろ本体１の前面から突出する使用状態とし、可動部材１１ａを他方向に回動することで操作パネル１１がこんろ本体１内に収納される収納状態（非使用状態）となるように構成してある。
【００３７】
上記のようにしてこんろ本体１の前面の左右の下部にそれぞれ収納自在に設けた操作パネル１１のうち、一方の操作パネル１１にはグリル３に関する操作を行うためのグリル用設定部３ｂが設けてあり、他方の操作パネル１１にはこんろ部２による調理設定の入力を行うための調理設定部５が設けてある。
【００３８】
左こんろ部２ａ又は右こんろ部２ｂによる調理設定の入力を行うための調理設定部５は図３に示すように、こんろ部２による調理時間を設定するためのタイマ入力部９、揚げもの、炊飯、湯わかし等の各自動調理を設定するための一組の調理入力部７及び調理表示部８と、前記調理入力部７からの入力で揚げもの、炊飯、湯わかしといった調理を行うこんろ部２を表示する右こんろ部選択表示部６２ａ、左こんろ部選択表示部６１ａと、を備えている。本発明では、左こんろ部２ａ又は右こんろ部２ｂのいずれを調理設定部５による各種調理を行うこんろ部２とするかの選択については、ガスこんろＡを使用する毎に選択するのではなく、予め選択を設定（再設定も可）しておくもので、これについては後述する。
【００３９】
本実施形態では、自動調理として揚げもの、炊飯、湯わかしの調理メニューが選択できるもので、前記各調理メニューに対応するように調理入力部７に揚げものスイッチ７１、炊飯スイッチ７２、湯わかしスイッチ７３が設けてある。そして、揚げものスイッチ７１を何回押すかで２００℃、１８０℃、１６０℃といった複数種類の揚げものの調理の中から目的とする温度の揚げもの調理が設定できると共に揚げもの表示部８１に前記設定が表示されるようにしてあり、また、炊飯スイッチ７２を何回押すかでごはん、おかゆといった複数種類の炊飯の調理の中から目的とする炊飯の調理が設定できると共に炊飯表示部８２に前記設定が表示されるようにしてあり、また、湯わかしスイッチ７３を何回押すかで自動消火、５分保温といった湯わかし後にすぐ消火するか、あるいは一定時間保温するかといった湯わかしを選択して設定できると共に湯わかし表示部８３に前記設定が表示されるようにしてある。これらの調理設定部５においてこんろ部２における調理設定の入力が行われると、マイコンのような制御部（図示せず）によりあらかじめ設定された制御内容に基づいてこんろ部２における火力調整、調理時間等が制御されるものであり、この場合、なべ底温度をこんろ部２に設けた温度センサ２ｄにより検出して、該温度センサ２ｄで検出したなべ底温度を制御部に入力してフィードバック制御により火力調整を行うようになっている。
【００４０】
また、タイマ機能を使用する際には、タイマ機能を使用するこんろ部２をタイマ入力部９のタイマ選択スイッチ９１により選択するもので、タイマ選択スイッチ９１は押す毎に選択されるこんろ部２が左こんろ部２ａ、右こんろ部２ｂ、後こんろ部２ｃ、といったように変化するため、適当な回数を押すことで所望のこんろ部２を選択することができる。そしてタイマ選択スイッチ９１の時間設定スイッチ９２「＋」「−」を入力することで５分単位、１０分単位、あるいは１分単位等で時間を設定し、これによりタイマ表示部９３に設定時間が表示されると共にタイマ機能作動中は残時間が表示され、設定した時間が経過すると自動消火される。なお、タイマ機能を同時に使用することができるこんろ部２はいずれか一つのみである。
【００４１】
また、上述した自動調理を行う場合の調理入力部７、タイマ機能を使用する場合のタイマ入力部９の他に、左こんろ高温スイッチ６３と、右こんろ高温スイッチ６４とが設けてあり、高温モードでの加熱調理を行う際に、操作する。更に説明を加えると、このガスこんろＡにおいては、温度センサ２ｄによる検出温度が所定の条件（温度、時間等）を満たすと、過熱防止のため、安全弁を閉止して、こんろバーナ２１を自動消火するようになっている。しかし、前記の所定の条件を満たしてもこんろバーナ２１の使用を続けたい場合もあり、このような場合に、上記左こんろ高温スイッチ６３又は右こんろ高温スイッチ６４を３秒以上継続して押すことで、こんろバーナ２１の自動消火を回避することができる。
【００４２】
上記のような構成の本発明のガスこんろＡの使用に当たっては、基本的には以下のようにして行うものである。
【００４３】
各こんろ部２の使用に当たっては、押釦よりなる点火・消火操作部４を指で押すことで点火・消火操作部４を前方に突出するのであるが、この時該当するこんろ部２にガスが供給されると共に点火される。点火・消火操作部４がこんろ本体１の前面から突出した燃焼状態で突出したこんろ本体１を指で摘んで回動操作することで該当するこんろ部２の火力調整を行うものである。また、突出状態の点火・消火操作部４を押し込むことで消火されると共に押し込んで前面がこんろ本体１の前面と略面一となった状態で後退状態が維持される。
【００４４】
このように、こんろ部２の使用に当たっては、こんろ本体１の前面に露出している点火・消火操作部４を直接指で操作して点火操作、火力調整操作、消火操作を行うものである。
【００４５】
次に、左こんろ部２ａ又は右こんろ部２ｂで自動調理の設定を行う場合は、予め、左こんろ部２ａと右こんろ部２ｂのうちいずれのこんろ部２ａ、２ｂを、調理入力部７からの入力により揚げもの、炊飯、湯わかしの各自動調理が可能なこんろ部２とするかの選択を設定しておき、選択したこんろ部２でのみ、自動調理を行うことができる。
【００４６】
この設定は、所定の操作（以下「選択モード移行操作」という）を行って、いずれのこんろ部２を自動調理を行うことができるこんろ部２として選択するかの選択モードに移行すると共に、この選択モード中に所定の操作（以下「選択設定操作」という）を行って、いずれのこんろ部２を選択するかの設定を行うものである。以下、選択モードでない状態を通常モードというものとする。
＜第１の実施例＞
まず、選択モード移行操作は、本実施例では、全てのこんろ部２の点火・消火操作部４で器具栓をＯＦＦとする操作を行っている状態で、揚げものスイッチ７１と湯わかしスイッチ７３の同時押しを行いながら、いずれかのこんろ部２ａ、２ｂの点火・消火操作部４にて器具栓をＯＮとするものである。
【００４７】
上記選択モード移行操作によって、選択モードへと移行すると共に、左こんろ部選択表示部６１ａ又は右こんろ部選択表示部６２ａのいずれかが点滅し、選択モードとなっていることを表示すると共に、点滅している方のこんろ部２が暫定的に選択（仮選択という）されていることを表示する。すなわち、選択モードへと移行した直後であって以下のこんろ部２の選択の操作を行う前にあっては、前回の設定時に選択設定したこんろ部２が選択されているため、選択したこんろ部２に対応するいずれかのこんろ部選択表示部（６１ａ、６２ａ）が点滅する。また、出荷時には便宜上いずれか一方（例えば左こんろ部２ａ）を初期設定として選択していて、使用者が初めて選択モードへと移行した際に、初期設定で選択された方のこんろ部選択表示部６１ａが点滅するものである。また、点滅しない方のこんろ部選択表示部６１ａ、６２ａは消灯している。
【００４８】
次に、選択モード中に行う選択設定操作は、仮選択切替と、選択決定とからなる。本実施例では、仮選択切替は湯わかしスイッチ７３を押すことにより行うもので、湯わかしスイッチ７３を押す毎に、仮選択されるこんろ部２が切り替わり、これに伴って点滅するこんろ部選択表示部６１ａ、６２ａが切り替わる。そして、仮選択を終えて選択を決定する選択決定は、本実施例では、揚げものスイッチ７１を押すことにより行うもので、揚げものスイッチ７１を押すとその時点で仮選択されているこんろ部２に決定されて、音声や光等により報知する報知手段（図示せず）により選択が完了した旨が報知されるものである。本実施例では報知手段としてのブザーにより「ピッピッピッ」という報知音が発せられる。
【００４９】
また、選択決定を行わず、仮選択の状態で所定時間入力が無い場合には、今回選択モードに移行する前の選択を維持するか、あるいは仮選択されているこんろ部２を設定し、選択モードを終了して通常モードに移行する。本実施例では、選択モードに移行して１分が経過すると、仮選択がキャンセルされて以前の設定が維持され、選択モードが終了する。
【００５０】
これらの選択モード移行操作、選択設定操作は、制御部により制御され、選択された結果はＥＥＰＲＯＭ（ElectricallyEraseble/Programmable ROM）等からなる記憶部（図示せず）に記憶され、再び選択モードで選択設定が行われるまで前記設定に基づいて制御が行われる。
【００５１】
上記のようにしてこんろ部２の選択の設定が行われると、以後、通常モードにおいて自動調理を行う際、選択設定されている方のこんろ部２を点火・消火操作部４にて器具栓をＯＮにし、調理入力部７の調理メニューの揚げものスイッチ７１か炊飯スイッチ７２か湯わかしスイッチ７３のうちのいずれかを操作すると、該選択されている方のこんろ部２にて自動調理が行われる。
【００５２】
また、選択設定されていない方のこんろ部２は、点火・消火操作部４にて器具栓をＯＮにすると共に調理入力部７を操作しても、自動調理は行われない。
【００５３】
すなわち、調理入力部７は、選択設定されている方のこんろ部２の専用の調理入力部７として機能することとなり、再度設定して変更しない限り、同じこんろ部２が選択設定されるため、調理毎に対象となるこんろ部２が異なって間違ってしまうといったことがない。
＜第２の実施例＞
次に、第２の実施例について説明する。なお、上述した第１の実施例と同じ点については説明を省略し、主に異なる点について説明する。
【００５４】
本実施例では、調理入力部７の複数種類の自動調理メニュー（すなわち揚げもの・炊飯・湯わかし）のうち、各調理メニュー毎に該自動調理を行うこんろ部２を選択することができる。
【００５５】
本実施例でも、所定の操作からなる選択モード移行操作を行って選択モードに移行すると共に、この選択モード中に所定の操作からなる選択設定操作を行って、いずれのこんろ部２を選択するかの設定を行う。
【００５６】
まず、選択モード移行操作は、第１の実施例と同様に、全てのこんろ部２の点火・消火操作部４で器具栓をＯＦＦとする操作を行っている状態で、揚げものスイッチ７１と湯わかしスイッチ７３の同時押しを行いながら、いずれかのこんろ部２の点火・消火操作部４、にて器具栓をＯＮとするものである。
【００５７】
上記選択モード移行操作によって、選択モードへと移行すると、右こんろ部選択表示部６２ａが点滅すると共に左こんろ部選択表示部６１ａが点灯し、選択モードとなっていることを表示する。
【００５８】
次に、選択モード中に行う選択設定操作は、第１の実施例と同様に、仮選択切替と、選択決定とからなる。
【００５９】
本実施例では、仮選択切替は、揚げもの、炊飯、湯わかしの各調理メニュー毎に行うもので、調理入力部７の揚げものスイッチ７１、炊飯スイッチ７２、湯わかしスイッチ７３をそれぞれ以下のように操作する。
【００６０】
揚げものについて左こんろ部２ａを仮選択する場合、揚げものスイッチ７１について所定の操作、本実施例では押し時間が１秒以内の通常押しを行う。これにより、左こんろ部２ａが仮選択されると共に、揚げもの表示部８１が所定の表示、本実施例では点灯し、左こんろ部２ａが仮選択されていることを表示する。また、揚げものについて右こんろ部２ｂを仮選択する場合、揚げものスイッチ７１について前記とは別の所定の操作、本実施例では所定時間（ここでは３秒）以上継続して押す長押しを行う。これにより、右こんろ部２ｂが仮選択されると共に、揚げもの表示部８１が前記とは別の所定の表示、本実施例では点滅し、右こんろ部２ｂが仮選択されていることを表示する。
【００６１】
炊飯についても同様に、炊飯について左こんろ部２ａを仮選択する場合、炊飯スイッチ７２について所定の操作である通常押しを行う。これにより、左こんろ部２ａが仮選択されると共に、炊飯表示部８２が所定の表示（すなわち点灯）を行い、左こんろ部２ａが仮選択されていることを表示する。また、炊飯について右こんろ部２ｂを仮選択する場合、炊飯スイッチ７２について前記とは別の所定の操作である長押しを行う。これにより、右こんろ部２ｂが仮選択されると共に、炊飯表示部８２が前記とは別の所定の表示（すなわち点滅）を行い、右こんろ部２ｂが仮選択されていることを表示する。
【００６２】
湯わかしについても同様に、湯わかしについて左こんろ部２ａを仮選択する場合、湯わかしスイッチ７３について所定の操作である通常押しを行う。これにより、左こんろ部２ａが仮選択されると共に、湯わかし表示部８３が所定の表示（すなわち点灯）を行い、左こんろ部２ａが仮選択されていることを表示する。また、湯わかしについて右こんろ部２ｂを仮選択する場合、湯わかしスイッチ７３について前記とは別の所定の操作である長押しを行う。これにより、右こんろ部２ｂが仮選択されると共に、湯わかし表示部８３が前記とは別の所定の表示（すなわち点滅）を行い、右こんろ部２ｂが仮選択されていることを表示する。
【００６３】
そして、仮選択を終えて選択を決定する選択決定は、本実施例では、揚げものスイッチ７１及び湯わかしスイッチ７３を同時押しすることにより行うもので（第１の実施例では揚げものスイッチ７１のみ押す）、前記同時押しの時点で各自動調理について仮選択されているこんろ部２に決定されて、報知手段により選択が完了した旨が報知されるものである。本実施例では報知手段としてのブザーにより「ピッピッピッ」という報知音が発せられる。
【００６４】
また、選択決定を行わず、仮選択の状態で所定時間入力が無い場合には、第１の実施例と同様に、今回選択モードに移行する前の選択を維持するか、あるいは仮選択されているこんろ部２を設定し、選択モードを終了して通常モードに移行する。本実施例では、選択モードに移行して１分が経過すると、仮選択がキャンセルされて以前の設定が維持され、選択モードが終了する。
【００６５】
これらの選択モード移行操作、選択設定操作は、制御部により制御され、選択された結果は記憶部に記憶され、再び選択モードで選択設定が行われるまで前記設定に基づいて制御が行われる。
【００６６】
上記のようにしてこんろ部２の選択の設定が行われると、以後、通常モードにおいて調理を行う際、調理入力部７の前記調理メニューに対応するスイッチを操作すると、該調理メニューについて選択されている方のこんろ部２に対応して、こんろ部選択表示部（６１ａ、６２ａ）が点灯又は点滅する。すなわち、その調理メニュー、例えば揚げものについて左こんろ部２ａが選択されている場合には揚げもの表示部８１が点灯し、右こんろ部２ｂが選択されている場合には揚げもの表示部８１が点滅する。そして、選択されている方のこんろ部２にて自動調理が可能となる。また、各調理メニューについて選択設定されていない方のこんろ部２は、点火・消火操作部４にて器具栓をＯＮにすると共に調理入力部７の前記調理メニューに対応するスイッチを操作しても、自動調理は行われない。
【００６７】
すなわち、調理入力部７の各調理メニューについて、選択設定されている方のこんろ部２の専用のスイッチとして機能することとなり、再度設定して変更しない限り、同じこんろ部２が選択設定されるため、調理毎に対象となるこんろ部２が異なって間違ってしまうといったことがない。
【００６８】
ところで、第１の実施例、第２の実施例では、全てのこんろ部２の器具栓がＯＦＦとなっていないと（すなわちいずれかのこんろ部２が点火中は）選択モードに移行することができない。これにより、選択モードで調理が不可となって、無駄な燃料ガスの消費を抑制することができる。また、調理しながら選択モードに移行し得ないので、調理中に選択モードに移行して調理の方の注意が散漫となって調理ミスをしたりするのが防止される。また、調理中に選択モードで選択するこんろ部を変更することによる誤操作、またはこれによる調理ミスが防止される。
【００６９】
またなお、こんろ部２が点火中に選択モードに移行可能としてもよく、調理中であっても、自動調理が可能なこんろ部２を変更することができる。
＜第３の実施例＞
次に、第３の実施例について説明する。なお、上述した第２の実施例と同じ点については説明を省略し、主に異なる点について説明する。
【００７０】
本実施例では、図４に示すように、調理設定部５に、左こんろ部２ａを選択する左こんろ部選択スイッチ６１と、右こんろ部２ｂを選択する右こんろ部選択スイッチ６２とからなるこんろ部選択入力部６を備えている。
【００７１】
本実施例でも、第２の実施例と同様に、調理入力部７の複数種類の自動調理メニューのうち、各調理メニュー毎に該自動調理を行うこんろ部２を選択することができるものである。
【００７２】
また、第１の実施例及び第２の実施例と同様に、所定の操作からなる選択モード移行操作を行って選択モードに移行すると共に、この選択モード中に所定の操作からなる選択設定操作を行って、いずれのこんろ部２を選択するかの設定を行う。
【００７３】
まず、選択モード移行操作は、本実施例では、左こんろ部選択スイッチ６１と右こんろ部選択スイッチ６２の同時押しを行うことによるものである。
【００７４】
選択設定操作は、どの調理メニューについて、左右いずれのこんろ部２を選択するか、を順に入力するもので、例えば、揚げものについて左こんろ部２ａを仮選択する場合、揚げものスイッチ７１を押すことにより、選択設定されているこんろ部２のこんろ部２選択表示部が点滅して、当該調理メニューについての選択モードとなっていることが表示される。そして、左こんろ部選択スイッチ６１を押し操作することで、前記調理メニュー（ここでは揚げもの）について左こんろ部２ａが選択される。他の調理メニュー（炊飯、湯わかし）についても同様である。
【００７５】
また、選択決定を行わず、所定時間入力が無い場合には、第１の実施例及び第２の実施例と同様に、今回選択モードに移行する前の選択を維持するか、あるいは仮選択されているこんろ部２を設定し、選択モードを終了して通常モードに移行する。本実施例では、選択モードに移行して１分が経過すると、仮選択がキャンセルされて以前の設定が維持され、選択モードが終了する。
【００７６】
これらの選択モード移行操作、選択設定操作は、制御部により制御され、選択された結果は記憶部に記憶され、再び選択モードで選択設定が行われるまで前記設定に基づいて制御が行われる。
【００７７】
上記のようにしてこんろ部２の選択の設定が行われると、以後、通常モードにおいて調理を行う際、各自動調理について調理入力部７の前記調理メニューに対応するスイッチを操作すると、該スイッチと該調理メニューについて選択されている方のこんろ部２を示すこんろ部選択表示部（６１ａ、６２ａ）とが同期して点滅表示が行なわれる。そして、この点滅表示は、該こんろ部２の点火・消火操作部４にて消火操作がなされた際に、消灯する。
【００７８】
図５（ａ）は、揚げものについては左こんろ部２ａを選択し、炊飯については右こんろ部２ｂを選択し、湯わかしについては左こんろ部２ａを選択した場合における、各表示部（８１〜８３、６１ａ、６２ａ）の同期点滅のタイムチャートを示す。
【００７９】
同様に、図５（ｂ）は、揚げもの及び炊飯については左こんろ部２ａを選択し、湯わかしについては右こんろ部２ｂを選択した場合における、各表示部の同期点滅のタイムチャートを示す。
【００８０】
同様に、図５（ｃ）は、揚げものについては右こんろ部２ｂを選択し、炊飯については左こんろ部２ａを選択し、湯わかしについては右こんろ部２ｂを選択した場合における、各表示部の同期点滅のタイムチャートを示す。
＜第４の実施例＞
次に、第４の実施例について説明する。なお、上述した第３の実施例と同じ点については説明を省略し、主に異なる点について説明する。
【００８１】
本実施例では、第３の実施例で用いる左こんろ部選択スイッチ６１と右こんろ部選択スイッチ６２の代わりに、左こんろ高温スイッチ６３と右こんろ高温スイッチ６４をそれぞれ用いる点のみが異なっている。
【００８２】
すなわち、選択モード移行操作は、本実施例では、左こんろ高温スイッチ６３と右こんろ高温スイッチ６４の同時押しを行うことによるものである。
【００８３】
選択設定操作は、自動調理メニューのスイッチを押して自動調理を選択した後、その自動調理について左こんろ部２ａを選択するか右こんろ部２ｂを選択するかを、左こんろ高温スイッチ６３か又は右こんろ高温スイッチ６４を操作して、選択設定するものである。
【００８４】
本実施例では、操作性は第３の実施例と同様の操作性が得られると共に、既存の左こんろ高温スイッチ６３、右こんろ高温スイッチ６４を利用して、こんろ部２を選択するスイッチとしたことで、第３の実施例のように別に左こんろ部選択スイッチ６１、右こんろ部選択スイッチ６２を設ける必要がなく、製造コストが抑えられると共に、調理設定部５への操作部の設置スペースが少なくて済む。
【００８５】
本発明のガスこんろＡにおいては、複数のこんろ部２のうちのいずれか一つのこんろ部２で自動調理を行うための調理設定部５を設け、自動調理を行うこんろ部２をこんろ部選択入力部の選択入力により切り替えて使用することで、ガスこんろＡに調理設定部５を一つ設けるだけで済んで、複数のこんろ部２に対応する調理設定部５をそれぞれ設けるもののように、こんろ本体１に複数の調理設定部５を設けるスペースを確保する必要がなくてこんろ本体１の小型化及び簡素化が図られると共にコストの増加を防止することができ、また、自動調理が可能なこんろ部２をいずれか一つのこんろ部２に固定する場合のように、自動調理が可能なこんろ部２の位置を異ならせた複数種類のガスこんろＡを製造する必要がなくて設計及び製造ラインの簡素化が図られる。
【００８６】
また、一度選択モードにて選択を設定すると、以後は、使用する毎にこんろ部２を選択する必要がなく、毎回の使用時の操作性が良いものである。また、使用する毎に選択するこんろ部２が異なることもないため、自動調理を行うこんろ部２を誤認する惧れもないものである。
【００８７】
また、自動調理が可能な複数のこんろ部２（本実施形態では左こんろ部２ａと右こんろ部２ｂ）の火力を略同等（本実施形態では後こんろ部２ｃの小火力に対して高火力）としたことで、自動調理が可能な複数のこんろ部２のうちの高火力とするこんろ部２の位置を異ならせた複数種類のガスこんろＡを製造する必要がなくて設計及び製造ラインの簡素化が図られ、在庫を減らすことができる。
【図面の簡単な説明】
【００８８】
【図１】本発明のガスこんろの全体斜視図である。
【図２】同上のガスこんろの燃料ガスの供給を説明する図である。
【図３】同上のガスこんろの調理設定部の正面図である。
【図４】同上の第３の実施例における調理設定部の正面図である。
【図５】（ａ）〜（ｃ）は表示部の同期点滅を示すタイムチャートである。
【符号の説明】
【００８９】
Ａ    ガスこんろ
１    こんろ本体
２    こんろ部
２ａ  左こんろ部
２ｂ  右こんろ部
２ｃ  後こんろ部
２ｄ  温度センサ
４    点火・消火操作部
５    調理設定部
６    ガスこんろ部選択入力部
６１  左こんろ部選択スイッチ
６１ａ  左こんろ部選択表示部
６２    右こんろ部選択スイッチ
６２ａ  右こんろ部選択表示部
７    調理入力部
７１  揚げものスイッチ
７２  炊飯スイッチ
７３  湯わかしスイッチ
８    調理表示部
８１  揚げもの表示部
８２  炊飯表示部
８３  湯わかし表示部
９    タイマ入力部
９１  タイマ選択スイッチ
９２  時間設定スイッチ
９３  タイマ表示部
【図１】
0005180645.tif 000002
【図２】
0005180645.tif 000003
【図３】
0005180645.tif 000004
【図４】
0005180645.tif 000005
【図５】
0005180645.tif 000006